(57)【要約】【課題】蓋に形成する通気路の膨出量を減らしつつ、包装状態で十分な通気量を確保できると共に、箱詰め時に通気路がつぶれることを防止できる食品包装容器を得る。【解決手段】食品包装容器１を、口部４を有する熱可塑性樹脂シート製の容器体２と、着脱自在に上記口部４に被せるための嵌合い部５を周縁に有し、上記口部４と対面する上記嵌合い部５の一部を外側に膨らませて通気路７を形成した熱可塑性樹脂シート製の蓋３とからなり、上記蓋３を上記口部４に被せた状態で、上記口部４と当たることにより上記通気路７を外側へ押し出す突条部８が上記通気路７の内側に設けられた構成とした。【選択図】図１
2005170402.tif 000002
【特許請求の範囲】
【請求項１】
口部を有する熱可塑性樹脂シート製の容器体と、着脱自在に上記口部に被せるための嵌合い部を周縁に有し、上記口部と対面する上記嵌合い部の一部を外側に膨らませて通気路を形成した熱可塑性樹脂シート製の蓋とからなる食品包装容器において、上記蓋を上記口部に被せた状態で、上記口部と当たることにより上記通気路を外側へ押し出す突条部が上記通気路の内側に設けられたことを特徴とする食品包装容器。
【請求項２】
上記突条部が上記通気路の両側に設けられたことを特徴とする請求項１に記載の食品包装容器。
【発明の詳細な説明】
【技術分野】
【０００１】
この発明は、スプラウト（ブロッコリーの新芽やアルファルファなどの芽だし野菜）を包装するのに好適な食品包装容器に関する。
【背景技術】
【０００２】
スプラウトは、ビタミン類が豊富なことから近年人気があり、スーパーマーケットなどでは、中身が見えるように、透明な樹脂シート製の食品包装容器に入れられて販売されている。従来からスプラウトを包装する場合、図４に示したように、鍔付き口部２１を有する有底角筒状の容器体Ｃと、複数の通気孔２２を開けた天板部２３と、口部２１の上面と対面する合わせ面２４ａと口部２１の側面と対面する下垂面２４ｂとで形成された嵌合い部２４を有する蓋Ｌとからなり、蓋Ｌを口部２１に着脱自在に被せられる食品包装容器２０があった。
【０００３】
ところが、スプラウトは呼吸が盛んなため、食品包装容器２０では、比較的大きな通気孔２２を天板部２３に開ける必要があり、通気孔２２から埃や虫あるいは水滴などが落ち易いという問題があった。
【０００４】
この問題の対応策として、図５、図６に示した食品包装容器３０のように、食品包装容器２０の蓋Ｌに、上記口部２１と対面する嵌合い部２４の一部を外側に膨らませて通気路３１を形成することが考えられる。
【０００５】
しかしながら、食品包装容器３０の場合、蓋Ｌに嵌合い部２４を外側に膨らませて通気路３１を形成する分だけ、蓋Ｌを成形するのに必要な樹脂シートの面積が食品包装容器２０よりも大きくなる。
【０００６】
さらに、食品包装容器３０は、樹脂シート製であるため、箱詰めされる際に食品包装容器３０同士が圧迫し合うことにより通気路３１が陥没する恐れがある。このため、食品包装容器３０では、通気路３１をある程度余裕をもって口部２１の外縁よりも外側に膨らます必要があり、この点からも蓋Ｌを成形するのに必要な樹脂シートの面積が大きくなる。このため、蓋Ｌに食品包装容器３０のような通気路３１を形成すると、食品包装容器２０よりもコスト高になるという問題が生じる。
【発明の開示】
【発明が解決しようとする課題】
【０００７】
そこで、この発明の課題は、蓋に形成する通気路の膨出量を減らしつつ、包装状態で十分な通気量を確保できると共に、箱詰め時に通気路がつぶれることを防止できる食品包装容器を得ることにある。
【課題を解決するための手段】
【０００８】
上記の課題を解決するため、この発明は、口部を有する熱可塑性樹脂シート製の容器体と、着脱自在に上記口部に被せるための嵌合い部を周縁に有し、上記口部と対面する上記嵌合い部の一部を外側に膨らませて通気路を形成した熱可塑性樹脂シート製の蓋とからなる食品包装容器において、上記蓋を上記口部に被せた状態で、上記口部と当たることにより上記通気路を外側へ押し出す突条部が上記通気路の内側に設けられた構成とした。
【０００９】
上記構成の食品包装容器によれば、上記蓋を上記口部に被せた状態で、上記通気路の内側に設けられた突条部が上記口部と当たることにより上記通気路を外側へ押し出すので、スプラウトを包装した状態で、上記通気路が拡張され、また、箱詰め時に食品包装容器同士が圧迫し合ったとしても、互いの突条部同士で押し合うようになる。
【発明の効果】
【００１０】
したがって、この発明の食品包装容器は、蓋に形成する通気路の膨出量を少なくしても、十分な通気量を確保することができると共に、箱詰め時に通気路が陥没することを防止できる。
【発明を実施するための最良の形態】
【００１１】
この発明を実施するための最良の形態を図面に基づき説明する。図１に示した食品包装容器１は、有底角筒状の容器体２と着脱蓋３とからなる。容器体２は、鍔付きの口部４を有し、蓋３は周縁に口部４に被せるための嵌合い部５を有する。容器体２と蓋３の素材シートには、ポリスチレンやポリエチレンテレフタレートあるいはポリプロピレン等の熱可塑性の透明樹脂シートを用いることができる。
【００１２】
図１〜３に示したように、蓋３の嵌合い部５は、容器体２の口部４の上面と対面する合わせ面５ａと、口部４の側面と対面する下垂面５ｂとからなる。下垂面５ｂの口部４の４つの角部に被さる部分には、凸部６が、蓋３を口部４から外した状態で口部４の外縁よりも内側に突出するように形成されている。
【００１３】
また、蓋３の各周辺の中間部分には、通気路７が、口部４と対面する嵌合い部５の一部を外側に膨らませることにより形成されており、この通気路７の内側には、突条部８が設けられている。この際、蓋３を口部４から外した状態で、通気路７を口部４の外縁よりも内側にあるように形成すると、素材シートの面積を少なくすることができる。
【００１４】
突条部８は、通気路７の両側に設けられており、図２と図３を対比すると解るように、蓋３を口部４から外した状態で、口部４の外縁よりも内側に突出するように形成されている。このように突条部８を設けると、蓋３を口部４に被せた状態で、突条部８が、口部４と当たることにより通気路７を外側へ押し出すようになる。このため、食品包装容器１は、通気路７が拡張されるので、通気路７を口部４の外縁よりも内側にあるように形成することができる。
【００１５】
さらに、突条部８に上方向において内側に傾斜するテーパを形成すると、食品包装容器１は、蓋３を口部４に押し込む際に、突条部８が口部４に当たりながら滑るようになるので、蓋３を口部４に被せ易くなる。また、必要な通気量が少ない食品包装容器１の場合は、テーパ付き突条部８を通気路７の中央部分に一つだけ設けるとよい。
【００１６】
上記構成の食品包装容器１は、蓋３を口部４に被せて押し込み、或いは、上方に引き剥がして凸部６と口部４の外縁とを係脱することにより、蓋３を容器体２に着脱できる。この際、蓋３は、通気路７が外側へ押し出されることに伴い蓋３の各周辺の中間部分が外側に捩れるので、その反作用により蓋３の４つの角部付近が内側へ捩れる。このため、食品包装容器１は、蓋３を口部４に被せた状態で、凸部６が内側に付勢されるので、蓋３を容器体２にしっかりと装着することができる。
【図面の簡単な説明】
【００１７】
【図１】この発明の食品包装容器の分解状態を示す全体斜視図。
【図２】（ａ）は図１の食品包装容器の蓋を口部に被せた状態を示す部分拡大底面図、（ｂ）は（ａ）のＡ−Ａ断面部分拡大図。
【図３】図１の食品包装容器の蓋の拡大底面図。
【図４】従来の食品包装容器の一例の分解状態を示した全体斜視図。
【図５】従来の食品包装容器の改良案の分解状態を示した全体斜視図。
【図６】（ａ）は図５の食品包装容器の部分拡大底面図、（ｂ）は（ａ）のＢ−Ｂ断面部分拡大図。
【符号の説明】
【００１８】
１  食品包装容器
２  容器体
３  蓋
４  口部
５  嵌合い部
６  凸部
７  通気路
８  突条部
【図１】
2005170402.tif 000003
【図２】
2005170402.tif 000004
【図３】
2005170402.tif 000005
【図４】
2005170402.tif 000006
【図５】
2005170402.tif 000007
【図６】
2005170402.tif 000008